(57)【要約】      （修正有）【課題】液残りを抑制することができる容器及びキャップを提供する。【解決手段】内容物を収容する容器本体と、前記容器本体に装着されたキャップとを備える容器であって、前記キャップは、吐出口部２１Ａと、ピストン３１とを備え、前記ピストンは、前記容器本体の内圧の上昇に伴って前記吐出口部から後退したときに前記吐出口部を開放し、且つ、上昇した前記内圧の低下に伴って前記吐出口部へ前進してノズル２１内部に残留する内容物を押し出して容器外へ流出させ、前記吐出口部を閉塞する。【選択図】図１１
2020001768.tif 000002
【特許請求の範囲】
【請求項１】
内容物を収容する容器本体と、前記容器本体に装着されたキャップとを備える容器であって、
前記キャップは、吐出口部と、ピストンとを備え、
前記ピストンは、前記容器本体の内圧の上昇に伴って前記吐出口部から後退したときに前記吐出口部を開放し、且つ、上昇した前記内圧の低下に伴って前記吐出口部へ前進して前記吐出口部を閉塞する、容器。
【請求項２】
請求項１に記載の容器であって、
付勢部を備え、
前記付勢部は、前記ピストンが前記吐出口部を閉塞するように前記ピストンを前記吐出口部に付勢する、容器。
【請求項３】
請求項２に記載の容器であって、
基体部を備え、
前記基体部内には、前記内容物が流れる流路と、前記流路とは独立している内部空間とが形成され、
前記付勢部は、前記ピストンの基端が接続される板状部を有し、
前記板状部は、前記流路と前記内部空間とを区画するように設けられる、容器。
【請求項４】
請求項３に記載の容器であって、
前記板状部は、前記吐出口部側へ突出するようにドーム状に形成される、容器。
【請求項５】
請求項３又は請求項４に記載の容器であって、
前記付勢部は、前記板状部の周縁に接続される区画部を有し、
前記流路は、第１流路と、第２流路とを有し、
第１流路は、第２流路よりも前記容器本体側に設けられ、
前記区画部には前記内容物が通る貫通孔が形成され、且つ、前記区画部は第１流路と第２流路とを区画するように設けられる、容器。
【請求項６】
請求項３〜請求項５の何れか１つに記載の容器であって、
大気連通路を備え、
前記内部空間が前記大気連通路に連通することで、前記内部空間内の圧力が大気圧となっている、容器。
【請求項７】
請求項１〜請求項６の何れか１つに記載の容器であって、
前記ピストンは、前記吐出口部内に収容されるように構成される、容器。
【請求項８】
吐出口部と、ピストンとを備え、
前記ピストンは、前記吐出口部に対して前進及び後退するように構成され、
前記ピストンは、前記吐出口部にあるときに前記吐出口部を閉塞し、前記吐出口部から後退したときに前記吐出口部を開放する、キャップ。
【発明の詳細な説明】
【技術分野】
【０００１】
本発明は、容器及びキャップに関する。
【背景技術】
【０００２】
特許文献１には、内容物が収容される容器本体と、内容物の吐出口が形成された吐出口部（ノズル本体）とを備える容器が開示されている。特許文献１の容器の吐出口部内には、内容物が通る流通路が形成されている。また、特許文献１の容器では、使用者が容器本体を押圧することで容器本体の内圧が上昇し、内容物が吐出口部を介して容器外側面へ流出する。
【先行技術文献】
【特許文献】
【０００３】
【特許文献１】特開２０００−２２５１７２号公報
【発明の概要】
【発明が解決しようとする課題】
【０００４】
特許文献１の容器において、使用者が容器本体を押圧して内容物の一部を吐出口部の吐出口から流出させた後に、使用者が容器本体を押圧する力を緩めると、容器外の空気が吐出口部に流入する。ここで、特許文献１の吐出口部の流通路は細いため、その分、当該流通路は内容物の表面張力が高まりやすい環境である。このため、使用者が容器本体を押圧する力を緩め、容器外の空気が吐出口部に流入しても、吐出口部にある内容物の一部が、空気と一緒に容器本体に戻らない場合がある。また、使用者が使用を終えた容器を直立載置させても、内容物の表面張力によって、内容物が容器本体に流下しない場合がある。
【０００５】
このように、特許文献１の容器は、吐出口部に内容物が残留してしまう、すなわち吐出口部において内容物の液残りが生じてしまう、場合がある。なお、吐出口部の流通路は吐出口に近くに設けられているので、外界の塵や細菌は、容器本体の内容物よりも、吐出口部の流通路の内容物に侵入しやすい。つまり、吐出口部において内容物の液残りが生じてしまうと、内容物の衛生が損なわれる可能性が高まる。
【０００６】
本発明はこのような事情に鑑みてなされたものであり、液残りを抑制することができる容器及びキャップを提供することを目的としている。
【課題を解決するための手段】
【０００７】
本発明によれば、内容物を収容する容器本体と、前記容器本体に装着されたキャップとを備える容器であって、前記キャップは、吐出口部と、ピストンとを備え、前記ピストンは、前記容器本体の内圧の上昇に伴って前記吐出口部から後退したときに前記吐出口部を開放し、且つ、上昇した前記内圧の低下に伴って前記吐出口部へ前進して前記吐出口部を閉塞する、容器が提供される。
【０００８】
本発明によれば、使用者が容器本体を押圧すると、容器本体の内圧が上昇してピストンが吐出口部から後退し、吐出口部が開放され、容器本体の内容物が吐出口部から容器外へ流出する。使用者が容器本体を押圧する力を緩めると、容器本体において上昇した内圧が低下してピストンが吐出口部へ前進する。ピストンが吐出口部へ前進する過程において、ピストンは吐出口部内に残留する内容物を押し出し、そして、ピストンは当該残留する内容物を容器外へ流出させる。このように、本発明によれば、使用者が容器本体を押圧する力を緩めると、ピストンが吐出口部へ前進してピストンが吐出口部に残留する内容物を押し出すので、吐出口部の液残りが抑制される。
【０００９】
以下、本発明の種々の実施形態を例示する。以下に示す実施形態は互いに組み合わせ可能である。
好ましくは、付勢部を備え、前記付勢部は、前記ピストンが前記吐出口部を閉塞するように前記ピストンを前記吐出口部に付勢する。
好ましくは、基体部を備え、前記基体部内には、前記内容物が流れる流路と、前記流路とは独立している内部空間とが形成され、前記付勢部は、前記ピストンの基端が接続される板状部を有し、前記板状部は、前記流路と前記内部空間とを区画するように設けられる。
好ましくは、前記板状部は、前記吐出口部側へ突出するようにドーム状に形成される。
好ましくは、前記付勢部は、前記板状部の周縁に接続される区画部を有し、前記流路は、第１流路と、第２流路とを有し、第１流路は、第２流路よりも前記容器本体側に設けられ、前記区画部には前記内容物が通る貫通孔が形成され、且つ、前記区画部は第１流路と第２流路とを区画するように設けられる。
好ましくは、大気連通路を備え、前記内部空間が前記大気連通路に連通することで、前記内部空間内の圧力が大気圧となっている。
好ましくは、前記ピストンは、前記吐出口部内に収容されるように構成される。
好ましくは、吐出口部と、ピストンとを備え、前記ピストンは、前記吐出口部に対して前進及び後退するように構成され、前記ピストンは、前記吐出口部にあるときに前記吐出口部を閉塞し、前記吐出口部から後退したときに前記吐出口部を開放する、キャップが提供される。
【図面の簡単な説明】
【００１０】
【図１】図１Ａは実施形態に係る容器１の正面図であり、図１Ｂは図１Ａに示す容器本体３の垂直断面図である。
【図２】図２Ａはキャップ２の正面図であり、図２Ｂはキャップ２の左側面図であり、図２Ｃはキャップ２の上面図であり、図２Ｄはキャップ２の底面図である。
【図３】キャップ２を斜め上方から見たときにおける、キャップ２の分解図である。
【図４】キャップ２を斜め下方から見たときにおける、キャップ２の分解図である。
【図５】図５Ａは吐出口部２０の正面図であり、図５Ｂは吐出口部２０の底面図であり、図５Ｃは図５Ｂに示すＡ−Ａ断面図である。
【図６】図６Ａはピストン部材３０の斜め上方斜視図であり、図６Ｂはピストン部材３０の上面図であり、図６Ｃはピストン部材３０の斜め下方斜視図であり、図６Ｄは図６Ｂに示すＢ−Ｂ断面図である。
【図７】図７Ａは基体部１０及び内筒状部５０の斜め下方斜視図であり、図７Ｂは基体部１０及び内筒状部５０の斜め上方斜視図であり、図７Ｃは基体部１０及び内筒状部５０の正面図であり、図７Ｄは図７Ｃに示すＣ−Ｃ面で基体部１０を切断し、基体部１０を分離した状態を示す斜め下方断面図である。
【図８】キャップ２を斜め上方からみたときにおける、キャップ２の垂直断面図である。
【図９】キャップ２を斜め下方からみたときにおける、キャップ２の垂直断面図である。
【図１０】キャップ２から吐出口部２０及び環状部４０を取り外した状態における、キャップ２の９０度断面図である。
【図１１】図１１Ａはピストン部材３０が吐出口部２０に対して前進している状態を示す断面図であり、図１１Ｂはピストン部材３０が吐出口部２０から後退した状態を示す断面図である。
【図１２】図１１Ｂに示す領域Ａの拡大図である。
【発明を実施するための形態】
【００１１】
以下、本発明の実施形態について説明する。以下に示す実施形態中で示した各種特徴事項は、互いに組み合わせ可能である。また、各特徴について独立して発明が成立する。以下の説明中での上（上側）及び下（下側）は、において、図１に示すように容器本体３を立設させた状態での上（上側）及び下（下側）を意味する。
【００１２】
１．全体構成
図１Ａに示すように、容器１は、キャップ２と容器本体３とを備える。容器本体３は、内容物を収容する収容部３Ａと、収容部３Ａから内容物を吐出する口部３Ｂを備える。キャップ２は、口部３Ｂに装着される。図１Ｂに示すように、容器本体３は、収容部３Ａ及び口部３Ｂにおいて、外殻４と内袋５を備える。容器本体３は樹脂で構成されており、容器本体３は、使用者が押圧したときに収縮し、その後、収縮した状態から復元するように構成される。内容物の減少に伴って内袋５が外殻４から剥離することによって、内袋５が収縮し、内袋５が外殻４から離間する。外殻４は、復元性が高くなるように、内袋５よりも肉厚に形成される。
【００１３】
外殻４には、収容部３Ａに設けられた凹部３ａにおいて、外殻４と内袋５の間の中間空間と、容器本体３の外部空間とを連通する外気導入孔３ｃが形成されている。外気導入孔３ｃには、外殻４と内袋５の間の空間への空気の出入りを調整するための弁部材等を装着することができる。外気導入孔３ｃを設ける代わりに、外殻４と内袋５の間に隙間を設けて外気を導入するようにしてもよい。口部３Ｂには、係合部３ｂが形成されている。係合部３ｂは、キャップ２の突出部６４（図３及び図４参照）に係合されるリング状の突起である。実施形態に係る容器本体３には打栓式のキャップ２が装着されている。なお、キャップ２は、ネジ式で容器本体３に装着される形態であってもよい。
【００１４】
２．キャップ２の詳細構成
図３及び図４に示すように、キャップ２は、基体部１０と、吐出口部２０と、ピストン部材３０と、環状部４０と、内筒状部５０と、外筒状部６０とを備える。また、図８〜図１０に示すように、キャップ２の内側には、内部空間Ｓｐと、流路Ｓｐ１と、流路Ｓｔと、流路Ｓｐ２とが形成されている。流路Ｓｐ１は環状に形成され、流路Ｓｔは上下方向に延びるように形成されている。流路Ｓｐ２と内部空間Ｓｐとは、ピストン部材３０によって上下に区画されている。流路Ｓｐ１は流路Ｓｐ２よりも容器本体３側に設けられている。また、流路Ｓｔは流路Ｓｐ１よりも容器本体３側に設けられている。流路Ｓｐ１が第１流路に対応し、流路Ｓｐ２が第２流路に対応する。また、大気連通路１５と内部空間Ｓｐとは連通しており、内部空間Ｓｐの圧力は大気圧となっている。
【００１５】
＜基体部１０＞
図７Ａ〜図７Ｄに示すように、基体部１０は、第１壁部１１と、第２壁部１２と、第１底部１３と、第２底部１４と、大気連通路１５と、柱状部１６とを備える。基体部１０には、内部空間Ｓｐ、流路Ｓｐ１及び流路Ｓｔが形成されている。内部空間Ｓｐは流路Ｓｐ１よりも内側に配置されている。基体部１０は、内部空間Ｓｐと流路Ｓｐ１とが連通しないように構成され、且つ、内部空間Ｓｐと流路Ｓｐ２とが連通しないように構成されている。
【００１６】
図７Ｂに示すように、第１壁部１１は第１底部１３に立設する筒状の壁体である。第１壁部１１は内部空間Ｓｐと流路Ｓｐ１とを区画している。第１壁部１１と第２壁部１２との間には流路Ｓｐ１が形成されている。図７Ｂ〜図７Ｄ及び図８に示すように、第１壁部１１には、内部空間Ｓｐと大気連通路１５とが連通する位置に形成される切欠部１１Ａを有する。第２壁部１２は第１底部１３に立設する筒状の壁体であり、また、第２壁部１２は第１壁部１１の外側に配置されている。第２壁部１２は流路Ｓｐ１と容器１外とを区画している。
【００１７】
図７Ｄに示すように、第１底部１３は弧状の板体であり、第２底部１４は略円形状の板体である。第１底部１３と第２底部１４との間には大気連通路１５が形成されている。図７Ｃ及び図７Ｄに示すように、第２底部１４は切欠部１４Ａを有し、切欠部１４Ａには柱状部１６が立設している。柱状部１６は第２底部１４の上面から第１底部１３の下面にかけて延びるように形成され、柱状部１６内には流路Ｓｔが形成されている。
【００１８】
ここで、仮に内部空間Ｓｐが密閉空間である場合には、外気温度の影響で内部空間Ｓｐの圧力が変動しやすくなり、ピストン３１が適正に動作しなくなる可能性が高まる。しかし、実施形態において、大気連通路１５は内部空間Ｓｐに連通しているので、内部空間Ｓｐの圧力が大気圧に保たれる。このため、内部空間Ｓｐの圧力が外気温度によって変動しにくくなり、ピストン３１が適正に動作しなくなることが回避される。
【００１９】
＜吐出口部２０＞
図５Ａ〜図５Ｄに示すように、吐出口部２０は、ノズル２１と、筒状部２２と、凸部２３とを備える。ノズル２１は基端側から先端側に向かって先細る筒状部材であり、ノズル２１の内側にはピストン部材３０が設けられる。ノズル２１には吐出口２１Ａが形成され、吐出口２１Ａは容器１に収容される内容物を容器１外に流出させる。筒状部２２は、円筒状に形成されており、ノズル２１の基端側に接続されている。筒状部２２の内側には、基体部１０、ピストン部材３０及び環状部４０が設けられている。図８及び図９に示すように、筒状部２２には基体部１０が嵌め込まれている。凸部２３はピストン部材３０が基体部１０から離間することを防止する機能を有する。当該機能は、後述の環状部４０の説明で行う。凸部２３は弧状に形成されており、複数の凸部２３がピストン３１を中心とする周方向に配置されている。複数の凸部２３は等間隔に配置されている。隣接する一対の凸部２３の間には隙間が形成されており、ピストン部材３０の貫通孔３２ｂを通過した内容物はこの隙間を通って流路Ｓｐ２に流入する。
【００２０】
＜ピストン部材３０＞
図６Ａ〜図６Ｄに示すように、ピストン部材３０は、ピストン３１と、付勢部３２とを備える。ピストン３１は長尺状の棒状部材である。ピストン３１の先端は半球状に形成され、ピストン３１の基端は付勢部３２に接続されている。図８に示すように、使用者が容器本体３を押圧していない状態において、ピストン３１は吐出口２１Ａを塞いでいる。ここで、ピストン３１が吐出口２１Ａを塞いでいる状態において、ピストン３１の先端はノズル２１の吐出口２１Ａよりも上側に突き出していない。つまり、ピストン３１は吐出口部２０内に収容されており、ピストン３１が外界の細菌等に晒されにくくなっている。
【００２１】
付勢部３２は板状部３２Ａと区画部３２Ｂとを備える。付勢部３２は、例えば、シリコーンゴム等のエラストマーによって構成される。付勢部３２は流路Ｓｐ２と内部空間Ｓｐとを区画するように設けられている。つまり、付勢部３２は、流路Ｓｐ２側から圧力を受けるとともに、内部空間Ｓｐ側から圧力を受ける。
【００２２】
板状部３２Ａは、容器１内の内圧の変化によって弾性変形するように構成される。図１１Ａ及び図１１Ｂに示すように、板状部３２Ａが弾性変形することで、ピストン３１が上下に移動する、すなわちピストン３１が吐出口部２０に対して前進及び後退する。板状部３２Ａは、吐出口部２０側（ノズル２１側）へ突出するようにドーム状に形成された板状体である。板状部３２Ａはドーム状に形成されているので、流路Ｓｐ２の内圧が上昇すると、板状部３２Ａの形状が反転する。その結果、流路Ｓｐ２の内圧が上昇したときに、ピストン３１が迅速に後退し、吐出口２１Ａがすみやかに開放される。このため、内容物を吐出口２１Ａから容器１外へ安定的に流出させることができる。板状部３２Ａの中央部にはピストン３１の基端が接続されている。板状部３２Ａは上面視形状が円形である。板状部３２Ａの周縁には区画部３２Ｂが接続されている。
【００２３】
区画部３２Ｂは円環状の板状体であり、区画部３２Ｂには複数の貫通孔３２ｂが形成されている。複数の貫通孔３２ｂはピストン３１を中心とする周方向に配置されている。また、複数の貫通孔３２ｂは等間隔に配置されている。図９及び図１０に示す破線矢印のように、容器本体３の内圧が上昇すると、容器本体３の内容物が貫通孔３２ｂを通過する。ここで、区画部３２Ｂは、流路Ｓｐ１と流路Ｓｐ２とを区画するように設けられている。これにより、使用者が例えば誤って容器本体３を強く押圧したとしても、流路Ｓｐ２の内圧が急激に上昇することが抑制される。その結果、内容物が吐出口部２０から容器１外へ噴き出すことが抑制される。なお、上述した凸部２３も同様の効果を有する。
【００２４】
＜環状部４０＞
図８に示すように、環状部４０は区画部３２Ｂと吐出口部２０の内面との間に配置されている。環状部４０は凸部２３と同様にピストン部材３０が基体部１０から離間することを防止する機能を有する。つまり、使用者が容器本体３を押圧し、区画部３２Ｂの下面が内容物に押されたとしても、区画部３２Ｂが環状部４０及び凸部２３に突き当たるので、ピストン部材３０が基体部１０から離間することが抑制される。その結果、流路Ｓｐ１と内部空間Ｓｐとが連通してしまうことが防止される。環状部４０は区画部３２Ｂの貫通孔３２ｂよりも外側に配置されている。キャップ２が環状部４０を備えることで、貫通孔３２ｂを通過した内容物がピストン３１を中心として放射状に広がることが抑制され、貫通孔３２ｂを通過した内容物がすみやかに内側（ピストン３１側）に向かう。
【００２５】
＜内筒状部５０＞
図７Ａ〜図７Ｃに示すように、内筒状部５０は、本体部５１と、フランジ部５２とを有する。本体部５１は円筒状に形成され、本体部５１の端部にはフランジ部５２が接続されている。フランジ部５２は、内筒状部５０の径方向に突出する環状体である。フランジ部５２の外周面は外筒状部６０の内面に沿うように設けられ、フランジ部５２の内周面は第２底部１４の外周面に沿うように設けられている。
【００２６】
＜外筒状部６０＞
図２Ａ〜図４に示すように、外筒状部６０は、本体部６１と、雄ねじ部６２と、突出部６４とを有する。本体部６１は円筒状に形成され、本体部６１は内筒状部５０を収容している。本体部６１の外周面には雄ねじ部６２が螺旋状に形成されている。雄ねじ部６２は、キャップ２を収容する図示省略のカバーに螺合するように構成される。本体部６１と本体部５１との間には隙間６３が形成されている。隙間６３には口部３Ｂが挿入される。突出部６４は、内筒状部５０側に突出するように形成された環状の突出部である。突出部６４は口部３Ｂの係合部３ｂに係合する。
【００２７】
３．キャップ２の動作
次に、実施形態に係る容器１の動作を説明する。
【００２８】
容器本体３が押圧されていない状態では、付勢部３２がピストン３１をノズル２１に押し付ける力（付勢力と称する）が、流路Ｓｐ２の内圧によって付勢部３２が押される力（後退力と称する）よりも大きい。このため、図１１Ａに示すように、容器本体３が押圧されていない状態では、ピストン３１はノズル２１の吐出口２１Ａを閉塞している。なお、付勢力は、内部空間Ｓｐにおける大気圧によって付勢部３２が押される力や、板状部３２Ａの弾性力を含む。使用者が容器本体３を押圧していない状態において使用者が容器１を傾けると、容器本体３内の内容物が、流路Ｓｔ、流路Ｓｐ１及び貫通孔３２ｂの順番で通過し、流路Ｓｐ２に流入する。
【００２９】
使用者が容器本体３を押圧すると、流路Ｓｐ２の内圧が上昇する。これにより、図１１Ｂに示すように、付勢部３２に作用する後退力が付勢部３２に作用する付勢力よりも大きくなり、板状部３２Ａが弾性変形して板状部３２Ａの形状が反転する。図１１Ｂ及び図１２に示すように、板状部３２Ａの形状の反転に伴ってピストン３１は吐出口部２０から後退し、ノズル２１の吐出口２１Ａが開放され、流路Ｓｐ２と容器１外とが連通する。流路Ｓｐ２と容器１外とが連通すると、流路Ｓｐ２の内容物が容器１外へ流出する。
【００３０】
使用者が容器本体３を押圧することをやめると、付勢部３２に作用する付勢力が付勢部３２に作用する後退力よりも大きくなり、板状部３２Ａの形状がもとに戻る。板状部３２Ａの形状がもとに戻るに伴ってピストン３１は吐出口部２０へ前進し、ノズル２１の吐出口２１Ａが閉塞される。
【００３１】
４．実施形態の効果
使用者が容器本体３を押圧すると、容器本体３の内圧が上昇してピストン３１が吐出口部２０から後退し、吐出口部２０が開放され、容器本体３の内容物が吐出口部２０から容器１外へ流出する。使用者が容器本体３を押圧する力を緩めると、容器本体３において上昇した内圧が低下してピストン３１が吐出口部２０へ前進する。ピストン３１が吐出口部２０へ前進する過程において、ピストン３１はノズル２１内に残留する内容物を押し出し、そして、ピストン３１は当該残留する内容物を容器１外へ流出させる。このように、実施形態に係る容器１は、使用者が容器本体３を押圧する力を緩めると、ピストン３１が吐出口部２０へ前進してピストン３１がノズル２１に残留する内容物を押し出すので、吐出口部２０の液残りが抑制される。
【００３２】
また、使用者が容器本体３を押圧することをやめると、ピストン３１は吐出口部２０へ前進し、ノズル２１の吐出口２１Ａが閉塞される。これにより、吐出口２１Ａから容器１外へ流出した内容物がノズル２１内に戻ってしまうことが抑制される。つまり、キャップ２は、流出した内容物とともに塵や細菌が容器１内に侵入することをより確実に抑制することができる。
【００３３】
容器１の内容物の量が少なくなってくると、内袋５内が負圧になる場合がある。ここで、ピストン３１がノズル２１に付勢された状態で吐出口２１Ａがピストン３１によって閉塞されるので、内袋５内が負圧になったとしても、空気がキャップ２内に侵入しにくくなっている。また、キャップ２は空気が侵入しにくくなっているので、キャップ２は空気とともに塵や細菌が容器１内に侵入することをより確実に抑制することができる。
【符号の説明】
【００３４】
１      ：容器
２      ：キャップ
３      ：容器本体
３Ａ    ：収容部
３Ｂ    ：口部
３ａ    ：凹部
３ｂ    ：係合部
３ｃ    ：外気導入孔
４      ：外殻
５      ：内袋
１０    ：基体部
１１    ：第１壁部
１１Ａ  ：切欠部
１２    ：第２壁部
１３    ：第１底部
１４    ：第２底部
１４Ａ  ：切欠部
１５    ：大気連通路
１６    ：柱状部
２０    ：吐出口部
２１    ：ノズル
２１Ａ  ：吐出口
２２    ：筒状部
２３    ：凸部
３０    ：ピストン部材
３１    ：ピストン
３２    ：付勢部
３２Ａ  ：板状部
３２Ｂ  ：区画部
３２ｂ  ：貫通孔
４０    ：環状部
５０    ：内筒状部
５１    ：本体部
５２    ：フランジ部
６０    ：外筒状部
６１    ：本体部
６２    ：雄ねじ部
６３    ：隙間
６４    ：突出部
Ｓｐ    ：内部空間
Ｓｐ１  ：流路
Ｓｐ２  ：流路
Ｓｔ    ：流路
【図１】
2020001768.tif 000003
【図２】
2020001768.tif 000004
【図３】
2020001768.tif 000005
【図４】
2020001768.tif 000006
【図５】
2020001768.tif 000007
【図６】
2020001768.tif 000008
【図７】
2020001768.tif 000009
【図８】
2020001768.tif 000010
【図９】
2020001768.tif 000011
【図１０】
2020001768.tif 000012
【図１１】
2020001768.tif 000013
【図１２】
2020001768.tif 000014